(57)【要約】      （修正有）【課題】履物底部に主に使い捨てカイロ等の発熱体を収納可能とし、これに新鮮な空気を供給して十分な発熱を確保することのできる履物を提供する。【解決手段】発熱体を着脱自在に収納することが可能とされた履物であって、底部に外部と空気の出入りが可能な通気部４を備える発熱体収納室３を設けて使い捨てカイロ１１を収納する。さらに、履物の踵部には発熱体収納室と連通するポンプ室５を備え、装用者の歩行等によって新鮮な空気が使い捨てカイロに供給されるようにした。【選択図】図２
0003153097.tif 000002
【実用新案登録請求の範囲】
【請求項１】
発熱体を着脱自在に収納することが可能とされた履物であって、
該履物の底部に少なくとも１つの発熱体を収納できる発熱体収納室と、
該発熱体収納室には該履物の外部と空気の出入りが可能な通気部と、
を備えることを特徴とする、履物。
【請求項２】
前記履物の踵部には、該発熱体収納室と連通するポンプ室
を備えることを特徴とする、請求項１に記載の履物。
【請求項３】
前記発熱体収納室は面ファスナー又はファスナーによって開閉自在な発熱体着脱口
を備えることを特徴とする、請求項１または請求項２に記載の履物。
【請求項４】
前記通気口は、前記発熱体収納室と前記履物底部を連通する少なくとも１つの穴である、
ことを特徴とする請求項１乃至請求項３に記載の履物。
【請求項５】
前記通気口には、防水通気シートを備える、
ことを特徴とする、請求項４に記載の履物。
【請求項６】
前記発熱体は、使い捨てカイロである、
ことを特徴とする、請求項１乃至請求項５に記載の履物。
【請求項７】
前記発熱体収納室には、該発熱体収納室の約半分の体積のアダプターが収納され、
該アダプターは空気を透過可能である、
ことを特徴とする、請求項６に記載の履物。
【考案の詳細な説明】
【技術分野】
【０００１】
本考案は、内部に発熱体を着脱自在に収納可能とした履物に関する。さらに詳しくは、発熱作用を奏するために空気の換気を要する発熱体を使用する履物に関する。
【背景技術】
【０００２】
特に気温の低い冬季に靴を装用する際、足に冷たさを感じることがしばしばある。ここで、靴とは、長靴やサンダル類の別や、皮革やゴム類や木材といった材料の別に関わらず、足に装用して使用するもの全般を意図しており、以下、履物という。
【０００３】
さて、従来より履物の装用時の足の冷たさを解消するためにさまざまな工夫がなされており、例えば、いわゆる使い捨てカイロを履物の中に入れて使用することが行われている。使い捨てカイロとは、典型的には鉄粉と水・塩類・活性炭等を配合した発熱剤を通気性を有する袋に収めたものであり、鉄粉の酸化作用で発生する熱で温まるというものである。
【０００４】
しかし、使い捨てカイロが発熱するには空気中の酸素が必要であるため、一般に通気性に劣る履物内部においては酸素が不足しがちとなり、十分な発熱が得られないという課題があった。また、履物は通常装用者の足に良くあったサイズのものが使用されるため、履物内部に使い捨てカイロを入れて使用すると、しぱしば圧迫感のような不快感を感じることがあるという課題があった。
【０００５】
なお、履物に入れて使用するための専用の使い捨てカイロも実用に供せられている。これは、通常の使い捨てカイロよりも鉄粉の酸化が進み易いように発熱剤の組成を調整したもので、履物内部のように酸素が不足しがちな状態でも十分な発熱が得られるようになっている。また、大きさや形状も通常の使い捨てカイロよりも小さくかつ薄くされており、履物内部に入れて使用しても不快感を感じにくく工夫されている。
【０００６】
しかし、履物専用の使い捨てカイロは発熱剤が発熱し易いため、通気性が良い場合には高温になり易いという危険がある。また、履物内部で使い捨てカイロを使用する場合は、足と使い捨てカイロが密着して動きにくい状態になるため、使い捨てカイロが高温になるといわゆる低温やけどを発生し易い。通常の使い捨てカイロでは発熱剤の発熱は比較的穏やかであり、このような危険は生じにくいが、前記の通り通気性が十分でなければ発熱が不足しがちである。
【０００７】
前述の履物に入れると履物の装用者が圧迫感等の不快感を感じるという課題については、例えば、特開平７−３２７７０３号公報に開示された発明のように、履物内部に使い捨てカイロのような発熱体を着脱自在に収納して、装用者の足を加温することができる履物が開示されている。この発明によれば、使い捨てカイロを収納可能な空間があらかじめ履物に作りこまれているため、使い捨てカイロで装用者の足が圧迫されるような不都合は発生しない。
【０００８】
しかし、履物内部の通気性が不足するため、通常の使い捨てカイロでは、十分な発熱が得られないという課題は残っている。また、履物専用の使い捨てカイロを使用すると、高温になる危険がある点も共通である。
【０００９】
同様の発明は、例えば、特開２００２−２０４７０３号公報にも開示されており、この発明では発熱体として、使い捨てカイロではなくプラチナ触媒による揮発油の酸化発熱を利用した熱源を利用しているが、本質的には前記発明と課題を共通にしている。
【００１０】
ところで、近年大容量の二次電池と発熱抵抗体を組み合わせた電気式のカイロが実用に供されており、これは発熱に本質的に空気を必要せず、かつ温度を電子的に制御する機構を備えるものもあるため、これを発熱源として使用することで前記課題は実質的に解消する。しかし、電気式のカイロは重量や体積あたりの熱量が鉄粉の酸化反応や揮発油の酸化反応によって得られる熱量と比較すると少なく、持続時間や重量、大きさの点で代替技術にはなっていない。また、比較的高価であり、電子機器であることから装用者の歩行時の衝撃等によって故障を生じかねない不安があることも一因であると考えられる。
【００１１】
さて、履物を温める目的ではなく、むしろ履物内部を冷やす目的ではある点で上記発明群と大きく異なるものの、特開２００１−２５８６０５号公報には、外気を靴の内部に供給することで足の蒸れを防止可能な発明が開示されている。これは、靴本体の踵部に空気室や弁からなるエアポンプを形成することで、吸気口から取り入れた空気を靴の内部に供給するというものである。本考案はこれら発明の技術的な特徴に着目し、これらを組み合わせて新たな作用効果を得ようとしたものである。
【特許文献１】特開平７−３２７７０３号公報
【特許文献２】特開２００２−２０４７０３号公報
【特許文献３】特開２００１−２５８６０５号公報
【考案の開示】
【考案が解決しようとする課題】
【００１２】
以上説明したとおり、本考案が解決しようとする課題は、主に使い捨てカイロ等の発熱体に空気を供給し、十分な発熱を確保することのできる履物を提供することである。
【課題を解決するための手段】
【００１３】
（１）上記課題を解決するため、本考案においては、
発熱体を着脱自在に収納することが可能とされた履物であって、
該履物の底部に少なくとも１つの発熱体を収納できる発熱体収納室と、
該発熱体収納室には該履物の外部と空気の出入りが可能な通気部と、
を備えることを特徴とする履物としている。
【００１４】
履物の底部は、装用者が装用して歩行する際にクッション性を得たり、歩行面に存在する異物によって足裏に傷みを感じることが無いように、適当な厚みが設けられることが常である。必要な空間を確保可能で、しかも外観的にも違和感を生じにくいため、履物の底部に適当な大きさの発熱体収納室を設け、ここに発熱体を収納可能とすることがもっと都合が良い。こうすることで、履物の底部が暖まり、特に寒い季節に装用者が足指に冷たさを感じることを防ぐことができる。
【００１５】
なお、発熱体として、いわゆる使い捨てカイロを使用できることが好ましい。使い捨てカイロは、通常不織布製の袋体内部に鉄粉等からなる発熱材を封入したものであり、比較的柔らかく自由に変形できるため、大きさや形状に制約がある発熱体収納室に収納することが容易であるためである。また、構造上、装用者の歩行時の振動等によって故障する可能性がほとんど無い。
【００１６】
また、発熱体収納室を履物の底部に２つ以上設けることも出来る。大きさに制約のある履物の底部に複数の発熱体収納室を設けると、必然的に個々の発熱体収納室は小さめになるが、履物の底部のさまざまな箇所に発熱体を収納でき、装用者の足裏の全面を暖かくすることが出来る効果が得られる。なお、近年では使い捨てカイロの小型のものが広く流通しており、これを利用できることが好ましいので、発熱体収納室の大きさは少なくとも、一般的な小型の使い捨てカイロを収納できる大きさが好ましく、具体的には概ね９０ｍｍ×６０ｍｍであり、厚みは３ｍｍ以上であることが好ましい。
【００１７】
さて、いわゆる使い捨てカイロは、鉄粉等が酸化される際に発生する熱を利用しており、密閉空間に収められると空気中の酸素が不足して熱を発生しなくなる。しかし、発熱体収納室に履物外部と空気の出入りが可能な通気部を備えているので、発熱体収納室に収納された発熱体には常に新鮮な空気が供給される。つまり、発熱体が十分な熱を発生し続けるという効果を得られる。比較的空気中の酸素が不足気味でも発熱が継続する履物専用の使い捨てカイロも市販されており、本考案に適用することもできるが、このような使い捨てカイロは十分な換気が得られる環境では高温になり易いという課題を有する。本考案においては、十分な換気が得られるので、より安定してかつ安価な一般の使い捨てカイロを使用することが可能である。
【００１８】
なお、通気部は発熱体収納室と履物外部をつなぐ穴やスリット状の構造体として実現することができるが、ここに防水通気シートを設けるとなお好ましい。防水通気シートは、例えば多孔質のフッ素樹脂からなる薄いシートとして実現され、水ははじくが、空気や水蒸気のような気体は透過するというものである。これにより、雨天時に通気部から発熱体収納室内に水が浸入することを防止しつつ、必要な空気を発熱体に供給可能となるという効果が得られる。なお、防水通気シートの例として、例えばゴアテックス（登録商標）を使用することが出来る。
【００１９】
（２）また、本考案においては、
前記履物の踵部には、該発熱体収納室と連通するポンプ室
を備えることを特徴とする、（１）に記載の履物とすることが好ましい。
【００２０】
すでに説明したとおり、本考案は、通気部を設けることで、発熱体に十分な空気を供給して良好な発熱を得ようとするものであるが、履物のデザイン上の制約により、十分な大きさの通気部を設けることが出来ない場合が想定される。また、通気部の位置や、通気部に防水通気シートを設けたことなどによっても、十分な通気性が得られない場合もある。例えば、履物の底面に通気部を設けると共に水の浸入を防ぐために防水通気シートを備えたとすると、装用者が足を床につけた状態では空気が通気部を出入りしくく、また防水通気シートの通気抵抗の影響によって実際に通気部を出入りする空気の量はさらに小さくなる。
【００２１】
そこで、履物の踵部にポンプ室を設け、これと発熱体収納室を連通する構造とする。ポンプ室は、発熱体収納室との連通部を除いて実質的に空気の出入り口が無い部屋状構造とすることが出来る。このようなポンプ室を履物の踵部に設けることで、装用者がポンプ室に体重をかけるとポンプ室が押しつぶされてポンプ室内の空気が発熱体収納室に押し出される。これにより、発熱体収納室内の空気は強制的に通気部から履物の外部に放出される。次に、装用者のポンプ室にかける荷重が小さくなるとポンプ室の体積が回復して発熱体収納室の空気をポンプ室に吸入する。当然、発熱体収納室には履物の外部から通気部を通じて履物外部の空気が強制的に取り込まれる。
【００２２】
このように、履物の踵部にポンプ室を設けて発熱体収納室と連通することにより、発熱体収納室に収納した発熱体により確実に空気を供給し、十分な発熱を確保することが可能になる。なお、ポンプ室を踵部に設けることの意味は、装用者の体重がもっとも直接的にポンプ室にかかる箇所が履物の踵部であり、ここにポンプ室を設けることでもっとも効果的に発熱体に空気を供給できるからである。この作用は、装用者が自らの意思で踵に体重をかけたりすることによっても得られることは当然であるが、装用者が歩行した場合にも同様の効果を奏することは言うまでも無い。
【００２３】
以上の説明から明らかな通り、本考案におけるポンプ室は、空気がポンプ室を出入りする、つまりふいご作用を有すれば十分である。従って、必ずしもポンプ室は一般のポンプに見られるような一定の方向に流れを制御する逆流防止弁のような機構を備えていなくても良い。ただし、ポンプ室が逆流防止弁のような機構を備えることを妨げるものではない。例えば、履物の踵部の比較的高い位置に第二の通気口を設け、これと逆流防止弁を備えたポンプ室を接続し、さらにポンプ室から逆流防止弁を介して発熱体収納室に連通することが出来る。このようにすることで、必ず第二の通気口から空気を吸い込み、これがポンプ室・発熱体収納室を通って通気口から流出するようになり、例えば通気口を履物の底に設けた場合などに、雨水などを吸い込んでしまう不都合を発生しなくなる効果が得られる。
【００２４】
（３）また、本考案においては、
前記発熱体収納室は面ファスナー又はファスナーによって開閉自在な発熱体着脱口
を備えることを特徴とする、（１）または（２）に記載の履物とすることが好ましい。
【００２５】
発熱体は例えば使い捨てカイロであり、これは一定時間発熱をした後は発熱作用を喪失するのであるから交換しなければならない。発熱体収納室の発熱体を容易に出し入れ可能とするためには、発熱体収納室に備える発熱体着脱口はおおむね発熱体と同程度の大きさが必要である。発熱体着脱口が比較的大きいため、これを確実に閉じられなければ装用者の歩行時に発熱体が脱落したり、または歩行時に発熱体着脱口が開いたり閉じたりすることで違和感を生じるなどの不都合がある。もっとも、発熱体着脱口は容易に開け閉めできなければ、少なくとも一日に一回程度は必要な発熱体の交換が不便であるので、面ファスナーまたはファスナーによって開閉自在とすることが好ましい。面ファスナーを使用する場合は、装用者の歩行時に剥がれを生じて発熱体着脱口が開くことを防ぐため、面ファスナーの幅を１０ｍｍ以上とするとよい。また、ファスナーは金属または樹脂製の爪状体をかみ合わせることで開閉を行うものであるが、これは上部で確実に発熱体着脱口を閉じえるものであるので、一般に流通しているものを適宜利用可能である。
【００２６】
（４）また、本考案においては、
前記通気口は、前記発熱体収納室と前記履物底部を連通する少なくとも１つの穴である、
ことを特徴とする（１）乃至（３）に記載の履物とすることが好ましい。
【００２７】
通気口は、発熱体収納室と履物外部を連通して空気が出入り可能となっていれば必要な機能を果たせるのであるが、履物に通気口が設けられている、つまり履物に穴が開いていると、通常は外観上奇異な印象を与えてしまう。そこで、通常は人目に触れにくい履物の底部に通気口を設けると、履物の外観に実質的に影響を与えることなく、本考案の効果が得られるという利点がある。
【００２８】
また、外観に影響を与えないので、履物底部に設ける通気口を１つのみならず、多数設けることも出来る。多数の通気口を設けることで、より発熱体収納室と履物外部との空気の出入りはスムーズとなり、本考案の効果をより顕著とできる。
【００２９】
（５）また、本考案においては、
前記通気口には、防水通気シートを備える、
ことを特徴とする、（４）に記載の履物とすることが好ましい。
【００３０】
通気口を履物の底部に設けると、前期のような利点が得られる反面、雨天の際のように地面が濡れている際に、通気口を通って発熱体収納室に水が入ってしまいやすいという問題が生じる。そこで、通気口に防水通気シートを備えることでこの問題を解決することが出来る。防水通気シートとは、先に説明した通り、液体は透過できないが、空気や水蒸気のような気体は自由に透過できるというものである。これにより、履物の底面の通気口から水を発熱体収納室に入ることなく、しかし、空気の出入りは担保されることになり、本考案の魅力はますます高まる。なお、防水通気シートとして、例えばゴアテックス（登録商標）を使用することが可能である。
【００３１】
（６）また、本考案においては、
前記発熱体は、使い捨てカイロである、
ことを特徴とする、（１）乃至（５）に記載の履物とすることが好ましい。
【００３２】
本考案においては、発熱体としては、発熱に空気（より詳しくは空気中の酸素）を必要とするものであれば任意のものを使用可能である。例えば、揮発性油を白金触媒で緩やかに酸化する際の酸化熱を利用するカイロを使用することも可能である。しかし、現在市場に安価で大量に流通している使い捨てカイロを利用することを可能とした履物とすることが特に好ましい。発熱体の費用の点はもちろんであるが、使い捨てカイロは通常やわらかく比較的自由に形状を変えることができ、発熱体収納空間への出し入れが容易であり、十分な空気が供給されれば発熱作用もきわめて安定しているからである。また、歩行時の振動や衝撃に対しても破壊する懸念が極めて小さい点でも好ましい。
【００３３】
なお、本考案においては、発熱体はいわゆる履物専用の使い捨てカイロは使用可能であるものの、好ましい発熱体では無い。靴専用の使い捨てカイロは、通気性の悪い靴内の環境でも十分な発熱を得やすくするために内部の発熱剤の反応が進みやすく調整されており、過剰な空気が供給される環境では過度に高温になってしまうことが懸念されるからである。
【００３４】
（７）また、本考案においては、
前記発熱体収納室には、該発熱体収納室の約半分の体積のアダプターが収納され、
該アダプターは空気を透過可能である、
ことを特徴とする、（６）に記載の履物とすることが好ましい。
【００３５】
現在、通常の使い捨てカイロは概ね１３０ｍｍ×９５ｍｍ程度の大きさのものが大量に流通しているが、同時に９０ｍｍ×６０ｍｍ程度の小型のものも流通している。これは、例えば手袋の中に忍ばせて暖をとるといった用途で使用されているものであるが、本考案の発熱体としても利用価値がある。通常の大きさの使い捨てカイロを発熱体として使用した場合に、発熱量が大きすぎて履物の装用者が熱さを感じるような場合は、小型の使い捨てカイロを使用すると発熱量が小さいためにより快適な場合があるのである。
【００３６】
しかし、通常の使い捨てカイロを収納できる発熱体収納室に小型の使い捨てカイロを格納して使用すると、隙間が大きく発生するために装用者が歩行する際に、発熱体収納室内で小型の使い捨てカイロが動いてしまい、不自然な振動や異音等を発生して装用者が不快感を感じる場合がある。そこで、発熱体収納室に小型の使い捨てカイロを収納した際に生じる隙間とほぼ同じ大きさのアダプターを発熱体収納室に収納し、余分な隙間が生じないようにすることでこの問題を解決することができる。
【００３７】
ただし、通常は足指が冷えやすいので、履物の発熱体収納室の足先部側に小型の使い捨てカイロを収納することが好ましく、そうすると、履物の踵部に設けたエアーポンプによる空気の流れがアダプターにさえぎられてしまう不都合を発生してしまいかねない。そこで、アダプターはエアーポンプの発生する空気の流れを妨げにくいよう、空気を透過可能とされていることが好ましい。具体的には、アダプターを貫通するように穴を設けることができる。
【考案の効果】
【００３８】
以上説明したとおり、本考案は次のような顕著な効果を奏する。
【００３９】
（１）履物の底部に発熱体収納室と、これと履物の外部と空気の出入りが可能な通気部を備えているため、一般的に市場に流通している使い捨てカイロをはじめとする発熱体を発熱体収納室に収納することで十分な発熱が得られ、装用者が足指に冷たさを感じることを防ぐことができる。
【００４０】
（２）履物の踵部に発熱体収納室と連通するポンプ室を備えたので、装用者が歩行したり足を動かしたりした際に発熱体収納室の発熱体により確実に新鮮な空気が供給され、発熱体の発熱をより確実とすることができる。
【００４１】
（３）発熱体収納室に面ファスナー又はファスナーによって開閉自在な発熱体着脱口を備えたので、発熱体を容易に交換することが可能となる。
【００４２】
（４）発熱体収納室と履物底部を連通する通気口としたので、履物の外観に影響を与えずに、発熱体に十分な空気を供給して十分な発熱を得られるという効果が得られる。
【００４３】
（５）通気口に防水通気シートを備えたので、発熱体収納室に空気を供給しつつ水が入ることを防止でき、雨天においても発熱体収納室内に収納した発熱体により十分な発熱が得られるという効果が得られる。
【００４４】
（６）発熱体を使い捨てカイロとしたので、やわらかい為に発熱体収納空間への出し入れが容易で、消耗品である発熱体の費用も安価ですみ、しかも装用者の歩行時の振動や衝撃に対しても破壊する懸念が極めて小さくなるという効果が得られる。
【００４５】
（７）空気を透過可能なアダプターを発熱体収納室に収納可能としたため、小型の使い捨てカイロを発熱体として使用した場合でも発熱体収納室に余分な隙間が生じず、装用者の歩行の際にも振動や異音が発生することを防止できるという効果が得られる。
【考案を実施するための最良の形態】
【００４６】
以下、図面を用いて本考案の実施例を詳細に説明する。
【実施例１】
【００４７】
図１は、本発明に係る履物の実施例の外観を示した説明図である。履物（１）の底部に発熱体着脱口（２）が設けられ、これはファスナー（８）で開閉自在とされている。発熱体着脱口（２）はファスナー（８）を開くと約１００ｍｍに渡って開くことが可能であり、発熱体を容易に出し入れ可能である。
【００４８】
図２は図１の断面を示した説明図である。履物のつま先側の底部に発熱体収納室（３）を備えており、ここには発熱体として使い捨てカイロ（１１）を収納可能である。また、発熱体収納室（３）は履物底部に向けて通気口（４）を備えている。通気口（４）は履物の大きさ等に応じて任意の大きさのものを任意の数設けることが可能であり、これを介して履物の外部と空気が出入りすることで発熱体収納室（３）に収納した使い捨てカイロ（１１）に新鮮な空気が供給され、使い捨てカイロ（１１）によって十分な発熱が得られるようになる。また、使い捨てカイロ（１１）には十分な空気が供給されるので、一般に市場に流通している通常の使い捨てカイロを使用しても装用者が足指等に冷たさを感じないだけの十分な発熱が得られ、履物専用の使い捨てカイロを使用する必要は無い。通常の使い捨てカイロは履物専用の使い捨てカイロよりも発熱は緩やかで安定しており、従って、徒に高温になってしまうという危険も小さくなる。
【００４９】
また、本実施例では、履物の踵部（６）にポンプ室（５）を備えており、装用者が歩行したり、あるいは足を動かしたりするとポンプ質（５）の体積が変化する。ポンプ室（５）は連通部（７）を介して発熱体収納室（３）と連通しており、ポンプ室（５）の体積変化に応じて空気を発熱体収納室（３）に押し出したり吸い込んだりすることになる。これにより、発熱体収納室（３）内の空気は通気口（４）から出入りし、結果としてより確実に使い捨てカイロ（１１）に十分な空気を供給可能としている。
【実施例２】
【００５０】
図３は本考案にかかる履物の別の実施例の断面を示した説明図である。外観上は、本実施例においても先の実施例の場合（図１）と特段変わることないため、記載を省略する。さて、本実施例では、発熱体収納室（３）よりも小型の使い捨てカイロ（１１）を使用している。なお、好みの問題ではあるものの、一般に、装用者はつま先に特に冷たさを感じ易いため、使い捨てカイロ（１１）は発熱体収納室（３）のつま先側に収納するとよい。発熱体収納室（３）に大きな隙間があると、装用者の歩行時等に使い捨てカイロ（１１）が発熱体収納室（３）内で動いてしまい、不快な衝撃や異音を発生させがちである。そこで、本実施例においては発熱体収納室（３）の隙間にアダプター（９）を収納し、使い捨てカイロ（１１）が動いてしまうことが無いようにしている。アダプター（９）は発熱体収納室（３）よりもやや薄い程度の厚みを持つ板状体であるが、平面方向に空気が自由に透過して使い捨てカイロ（１１）に新鮮な空気を供給できるように、平面内を貫通する穴を備えている。
【００５１】
また、本実施例では通気口（４）に防水通気シート（１０）としてゴアテックス（登録商標）を備えている。防水通気シート（１０）は水は通さないが、水蒸気や空気は透過するシート状の素材であり、特に雨天において通気口（４）から水が発熱体収納室（３）に進入することを防ぎつつ、新鮮な空気の取り入れは可能とするものであり、本考案を天候によらずより快適に使用可能とするものである。
【産業上の利用可能性】
【００５２】
以上説明した通り、本考案は主に使い捨てカイロ等の発熱体に空気を供給して十分な発熱を得ることを可能とし、装用者が足指に冷たさを感じることを可能とする、産業上有用な考案である。
【図面の簡単な説明】
【００５３】
【図１】本考案に係る履物の実施例の外観を示した説明図である。
【図２】本考案に係る履物の実施例の断面を示した説明図である。
【図３】本考案に係る履物の別の実施例の断面を示した説明図である。
【符号の説明】
【００５４】
１    履物
２    発熱体着脱口
３    発熱体収納室
４    通気口
５    ポンプ室
６    踵部
７    連通部
８    ファスナー
９    アダプター
１０    防水通気シート
１１    使い捨てカイロ
【図１】
0003153097.tif 000003
【図２】
0003153097.tif 000004
【図３】
0003153097.tif 000005
【手続補正書】
【提出日】平成21年3月22日(2009.3.22)
【手続補正１】
【補正対象書類名】実用新案登録請求の範囲
【補正対象項目名】請求項４
【補正方法】変更
【補正の内容】
【請求項４】
前記通気口は、前記発熱体収納室と前記履物底部を連通する少なくとも１つの穴である、
ことを特徴とする請求項１乃至請求項３のいずれか１項に記載の履物。
【手続補正２】
【補正対象書類名】実用新案登録請求の範囲
【補正対象項目名】請求項６
【補正方法】変更
【補正の内容】
【請求項６】
前記発熱体は、使い捨てカイロである、
ことを特徴とする、請求項１乃至請求項５のいずれか１項に記載の履物。
【手続補正書】
【提出日】平成21年6月13日(2009.6.13)
【手続補正１】
【補正対象書類名】実用新案登録請求の範囲
【補正対象項目名】請求項１
【補正方法】変更
【補正の内容】
【請求項１】
発熱体を着脱自在に収納することが可能とされた履物であって、該履物の底部に少なくとも１つの発熱体を収納できる発熱体収納室と、該発熱体収納室には該履物の外部と空気の出入りが可能な通気口と、を備えることを特徴とする、履物。
【手続補正２】
【補正対象書類名】明細書
【補正対象項目名】００１３
【補正方法】変更
【補正の内容】
【００１３】（１）上記課題を解決するため、本考案においては、  発熱体を着脱自在に収納することが可能とされた履物であって、該履物の底部に少なくとも１つの発熱体を収納できる発熱体収納室と、該発熱体収納室には該履物の外部と空気の出入りが可能な通気口と、を備えることを特徴とする履物としている。
【手続補正３】
【補正対象書類名】明細書
【補正対象項目名】００１７
【補正方法】変更
【補正の内容】
【００１７】  さて、いわゆる使い捨てカイロは、鉄粉等が酸化される際に発生する熱を利用しており、密閉空間に収められると空気中の酸素が不足して熱を発生しなくなる。しかし、発熱体収納室に履物外部と空気の出入りが可能な通気口を備えているので、発熱体収納室に収納された発熱体には常に新鮮な空気が供給される。つまり、発熱体が十分な熱を発生し続けるという効果を得られる。比較的空気中の酸素が不足気味でも発熱が継続する履物専用の使い捨てカイロも市販されており、本考案に適用することもできるが、このような使い捨てカイロは十分な換気が得られる環境では高温になり易いという課題を有する。本考案においては、十分な換気が得られるので、より安定してかつ安価な一般の使い捨てカイロを使用することが可能である。
【手続補正４】
【補正対象書類名】明細書
【補正対象項目名】００１８
【補正方法】変更
【補正の内容】
【００１８】  なお、通気口は発熱体収納室と履物外部をつなぐ穴やスリット状の構造体として実現することができるが、ここに防水通気シートを設けるとなお好ましい。防水通気シートは、例えば多孔質のフッ素樹脂からなる薄いシートとして実現され、水ははじくが、空気や水蒸気のような気体は透過するというものである。これにより、雨天時に通気口から発熱体収納室内に水が浸入することを防止しつつ、必要な空気を発熱体に供給可能となるという効果が得られる。なお、防水通気シートの例として、例えばゴアテックス（登録商標）を使用することが出来る。
【手続補正５】
【補正対象書類名】明細書
【補正対象項目名】００２０
【補正方法】変更
【補正の内容】
【００２０】  すでに説明したとおり、本考案は、通気口を設けることで、発熱体に十分な空気を供給して良好な発熱を得ようとするものであるが、履物のデザイン上の制約により、十分な大きさの通気口を設けることが出来ない場合が想定される。また、通気口の位置や、通気口に防水通気シートを設けたことなどによっても、十分な通気性が得られない場合もある。例えば、履物の底面に通気口を設けると共に水の浸入を防ぐために防水通気シートを備えたとすると、装用者が足を床につけた状態では空気が通気口を出入りしくく、また防水通気シートの通気抵抗の影響によって実際に通気口を出入りする空気の量はさらに小さくなる。
【手続補正６】
【補正対象書類名】明細書
【補正対象項目名】００２１
【補正方法】変更
【補正の内容】
【００２１】  そこで、履物の踵部にポンプ室を設け、これと発熱体収納室を連通する構造とする。ポンプ室は、発熱体収納室との連通部を除いて実質的に空気の出入り口が無い部屋状構造とすることが出来る。このようなポンプ室を履物の踵部に設けることで、装用者がポンプ室に体重をかけるとポンプ室が押しつぶされてポンプ室内の空気が発熱体収納室に押し出される。これにより、発熱体収納室内の空気は強制的に通気口から履物の外部に放出される。次に、装用者のポンプ室にかける荷重が小さくなるとポンプ室の体積が回復して発熱体収納室の空気をポンプ室に吸入する。当然、発熱体収納室には履物の外部から通気口を通じて履物外部の空気が強制的に取り込まれる。
【手続補正７】
【補正対象書類名】明細書
【補正対象項目名】００３９
【補正方法】変更
【補正の内容】
【００３９】（１）履物の底部に発熱体収納室と、これと履物の外部と空気の出入りが可能な通気口を備えているため、一般的に市場に流通している使い捨てカイロをはじめとする発熱体を発熱体収納室に収納することで十分な発熱が得られ、装用者が足指に冷たさを感じることを防ぐことができる。